(57)【要約】【課題】目的の情報を検索、閲覧するに足る表示性能を保ちつつ、消費電力の低減による省エネルギー化と長時間動作とが可能な電子情報表示装置を提供すること。【解決手段】行および列方向に２次元配列された複数の画素からなり、消費電力が画素の表示濃度の濃淡に依存し、表示濃度が濃くなるに従って増加する表示パネルに、情報を、情報本来の表示濃度で表示する第１の表示モードと、情報本来の表示濃度を変換して表示する第２の表示モードとを有し、所定の条件の場合に、第２の表示モードで表示を行うことにより、目的の情報を検索、閲覧するに足る表示性能を保ちつつ、消費電力の低減による省エネルギー化と長時間動作とが可能な電子情報表示装置を提供することができる。【選択図】図５
2011102900.tif 000002
【特許請求の範囲】
【請求項１】
行および列方向に２次元配列された複数の画素からなり、消費電力が前記画素の表示濃度の濃淡に依存し、表示濃度が濃くなるに従って増加する表示素子を有し、情報を表示するための表示パネルと、
前記表示パネルへの前記情報の表示を制御する表示制御部とを備えた電子情報表示装置において、
前記表示制御部は、
前記表示パネルに、前記情報を、情報本来の表示濃度で表示する第１の表示モードと、情報本来の表示濃度を変換して表示する第２の表示モードとを有し、
所定の条件の場合に、前記第２の表示モードで表示を行うことを特徴とする電子情報表示装置。
【請求項２】
前記表示制御部は、前記第２の表示モードにおいて、前記情報の所定の画素の表示濃度を低減する変換を行うことを特徴とする請求項１に記載の電子情報表示装置。
【請求項３】
前記表示制御部は、前記第２の表示モードにおいて、前記表示パネルに印加する駆動電圧を低減する変換を行うことを特徴とする請求項１または２に記載の電子情報表示装置。
【請求項４】
前記表示パネルに表示する複数の前記情報と、複数の前記情報の各々の代表ページに関する情報とを記憶するメモリ部を備え、
前記表示制御部は、
複数の前記情報の中から目的の情報を選択するための情報選択モードを有し、
前記情報選択モードでの表示の場合に、前記情報の代表ページを、前記第２の表示モードで前記表示パネルに表示することを特徴とする請求項１から３の何れか１項に記載の電子情報表示装置。
【請求項５】
前記表示パネルに表示する複数の前記情報と、複数の前記情報の各々の過去の閲覧履歴とを記憶するメモリ部を備え、
前記表示制御部は、
前記情報の過去の閲覧履歴に基づいて、前記情報の２回目以降の閲覧の場合に、前記情報を、前記第２の表示モードで前記表示パネルに表示することを特徴とする請求項１から４の何れか１項に記載の電子情報表示装置。
【請求項６】
前記表示素子は、エレクトロデポジション方式の電気化学表示素子であることを特徴とする請求項１から５の何れか１項に記載の電子情報表示装置。
【発明の詳細な説明】
【技術分野】
【０００１】
本発明は、電子情報表示装置に関し、特に省エネルギーに優れた電子情報表示装置に関する。
【背景技術】
【０００２】
近年、パーソナルコンピュータの動作速度の向上、ネットワークインフラの普及、データストレージの大容量化と低価格化等に伴い、従来は紙への印刷物で提供されたドキュメントや画像等の情報を、より簡便な電子情報として入手、閲覧する機会が益々増大している。
【０００３】
このような電子情報の閲覧手段としては、従来の液晶ディスプレイやＣＲＴ、また近年では、有機ＥＬディスプレイ等の発光型ディスプレイが主として用いられているが、特に閲覧する電子情報がドキュメント情報の場合、比較的長時間にわたって閲覧手段である発光型ディスプレイを注視する必要がある。
【０００４】
しかし、一般に、発光型ディスプレイには、フリッカーで目が疲労する、持ち運びに不便で読む姿勢が制限され、静止画面に視線を合わせる必要が生じる等の欠点があり、電子情報を発光型ディスプレイで閲覧することは必ずしも人間に優しい方法とは言えない。さらに、発光型ディスプレイでは、長時間使用すると消費電力が嵩む等の欠点もある。
【０００５】
一方、上述した欠点を補う表示手段として、外光を利用し、像保持のために電力を消費しないメモリ性反射型ディスプレイが知られているが、下記の理由で十分な性能を有しているとは言い難い。
【０００６】
すなわち、反射型液晶等の偏光板を用いる方式は、反射率が約４０％と低く白表示に難があり、また構成部材の作製に用いる製法の多くは簡便とは言い難い。また、ポリマー分散型液晶は高い駆動電圧を必要とし、また有機物同士の屈折率差を利用しているため、得られる画像のコントラストが十分でない。また、ポリマーネットワーク型液晶は駆動電圧が高いことと、メモリ性を向上させるために複雑な回路が必要である等の課題を抱えている。
【０００７】
また、電気泳動法による表示素子も、１０Ｖ以上の高い駆動電圧が必要であり、電気泳動性粒子凝集による画質劣化が起こりやすい。電気泳動性粒子を一定量で小分けする隔壁構造にすることで凝集を低減できるが、セル構成・プロセスが複雑になり、安定した製造が難しい。
【０００８】
そこで、これら上述の各方式の欠点を解消する表示パネルとして、金属または金属塩の溶解析出を利用するエレクトロデポジション（以下、ＥＤと言う）方式の表示素子（電気化学表示素子；以下、ＥＤ素子と言う）を用いた表示パネル（以下、ＥＤパネルと言う）が注目されている。
【０００９】
ＥＤ素子は、３Ｖ以下の低電圧で駆動が可能で、簡便なセル構成や、明るいペーパーライクな白と引き締まった黒という優れた表示品位等の特長を持ち、多値の階調表示も可能である。また、メモリ性を有するため、像保持のために電力を消費しない。
【００１０】
一方、このような電子情報表示装置においては、携帯性を重視するために、電源は電池が用いられることが多い。電池を電源として、いつでもどこでも長時間動作可能とするためには、消費電力の低減が最重要課題である。
【００１１】
そこで、例えば特許文献１には、単純マトリクス型の電気化学表示装置において、信号電極と走査電極とをそれぞれ２組に分け、２組を同時にアドレス駆動することで、画面全体の走査に要する時間を短縮して、表示に要する時間の短縮と消費電力の低減とを可能にする方法が提案されている。
【先行技術文献】
【特許文献】
【００１２】
【特許文献１】特開２００４−１７０８４９号公報
【発明の概要】
【発明が解決しようとする課題】
【００１３】
しかしながら、特許文献１に示された方法では、表示に要する時間の短縮にはなるが、ＥＤ素子の場合は駆動時のみに電流が流れるので、駆動する画素数が同じであれば消費電力の低減にはならない。また、２組を同時にアドレス駆動するので、同時に駆動される画素数が倍増して、瞬間的に流れる電流が倍増するために電源が不安定になり、表示ムラ等の表示品位の低下という新たな問題が発生する恐れがある。これに対応するために電源の強化を行うと、電池の本数が増えて携帯性が損なわれたり、電池の寿命が短くなって動作時間が短くなってしまう。
【００１４】
また、ＥＤ素子の場合、閲覧したい情報を検索するために繰り返して表示を更新する場合、画面の消去と表示とを繰り返すために消費電力が大きくなるので、これに対する対応が必要である。
【００１５】
本発明は、上記事情に鑑みてなされたもので、目的の情報を検索、閲覧するに足る表示性能を保ちつつ、消費電力の低減による省エネルギー化と長時間動作とが可能な電子情報表示装置を提供することを目的とする。
【課題を解決するための手段】
【００１６】
本発明の目的は、下記構成により達成することができる。
【００１７】
１．行および列方向に２次元配列された複数の画素からなり、消費電力が前記画素の表示濃度の濃淡に依存し、表示濃度が濃くなるに従って増加する表示素子を有し、情報を表示するための表示パネルと、
前記表示パネルへの前記情報の表示を制御する表示制御部とを備えた電子情報表示装置において、
前記表示制御部は、
前記表示パネルに、前記情報を、情報本来の表示濃度で表示する第１の表示モードと、情報本来の表示濃度を変換して表示する第２の表示モードとを有し、
所定の条件の場合に、前記第２の表示モードで表示を行うことを特徴とする電子情報表示装置。
【００１８】
２．前記表示制御部は、前記第２の表示モードにおいて、前記情報の所定の画素の表示濃度を低減する変換を行うことを特徴とする前記１に記載の電子情報表示装置。
【００１９】
３．前記表示制御部は、前記第２の表示モードにおいて、前記表示パネルに印加する駆動電圧を低減する変換を行うことを特徴とする前記１または２に記載の電子情報表示装置。
【００２０】
４．前記表示パネルに表示する複数の前記情報と、複数の前記情報の各々の代表ページに関する情報とを記憶するメモリ部を備え、
前記表示制御部は、
複数の前記情報の中から目的の情報を選択するための情報選択モードを有し、
前記情報選択モードでの表示の場合に、前記情報の代表ページを、前記第２の表示モードで前記表示パネルに表示することを特徴とする前記１から３の何れか１項に記載の電子情報表示装置。
【００２１】
５．前記表示パネルに表示する複数の前記情報と、複数の前記情報の各々の過去の閲覧履歴とを記憶するメモリ部を備え、
前記表示制御部は、
前記情報の過去の閲覧履歴に基づいて、前記情報の２回目以降の閲覧の場合に、前記情報を、前記第２の表示モードで前記表示パネルに表示することを特徴とする前記１から４の何れか１項に記載の電子情報表示装置。
【００２２】
６．前記表示素子は、エレクトロデポジション方式の電気化学表示素子であることを特徴とする前記１から５の何れか１項に記載の電子情報表示装置。
【発明の効果】
【００２３】
本発明によれば、行および列方向に２次元配列された複数の画素からなり、消費電力が画素の表示濃度の濃淡に依存し、表示濃度が濃くなるに従って増加する表示パネルに、情報を、情報本来の表示濃度で表示する第１の表示モードと、情報本来の表示濃度を変換して表示する第２の表示モードとを有し、所定の条件の場合に、第２の表示モードで表示を行うことにより、目的の情報を検索、閲覧するに足る表示性能を保ちつつ、消費電力の低減による省エネルギー化と長時間動作とが可能な電子情報表示装置を提供することができる。
【図面の簡単な説明】
【００２４】
【図１】ＥＤ素子の基本構造と表示原理とを示す模式図である。
【図２】ＥＤ素子で、黒化電圧を印加する時間を制御して階調表示を行う方法を示す模式図である。
【図３】本発明における電子情報表示装置の構成の１例を示す外観模式図である。
【図４】本発明における電子情報表示装置の構成の１例を示す回路ブロック図である。
【図５】本発明の第１の実施の形態の動作を示すフローチャートのメインルーチンである。
【図６】図５のサブルーチン（１／２）である。
【図７】図５のサブルーチン（２／２）である。
【図８】図７のサブルーチン（１／２）である。
【図９】図７のサブルーチン（２／２）である。
【図１０】第１の実施の形態の動作を説明するための模式図である。
【図１１】表示濃度の削減方法の１例を示す模式図である。
【図１２】本発明の第２の実施の形態における表示濃度の削減方法の他の例を示す模式図である。
【図１３】本発明の第３の実施の形態における表示濃度の削減方法の第３の例を示す模式図である。
【図１４】本発明の第４の実施の形態の動作を示すフローチャートのメインルーチンである。
【図１５】図１４のサブルーチン（１／２）である。
【図１６】図１４のサブルーチン（２／２）である。
【図１７】第４の実施の形態の動作を説明するための模式図である。
【発明を実施するための形態】
【００２５】
以下、本発明を図示の実施の形態に基づいて説明するが、本発明は該実施の形態に限らない。なお、図中、同一あるいは同等の部分には同一の番号を付与し、重複する説明は省略する。
【００２６】
まず最初に、ＥＤ素子の基本構造と表示原理について、図１を用いて説明する。ここでは、ＥＤ素子１１は１つの画素で構成されているとする。図１は、ＥＤ素子の基本構造と表示原理とを示す模式図で、図１（ａ）は黒表示状態を、図１（ｂ）は白表示状態を示す。
【００２７】
図１（ａ）および（ｂ）において、ＥＤ素子１１は、基板１０１上に画素電極１０３が設けられた駆動基板１００と、基板１１１上にコモン電極１１３が設けられたコモン基板１１０とで、銀イオン１２３が溶解された電解液１２１を挟み込んだ構造をしている。
【００２８】
コモン電極１１３は、通常はＥＤ素子１１の観察側電極であるため、透明であることが求められる。そのため、コモン電極１１３には、通常は酸化インジウムスズ（以下、ＩＴＯと言う）電極等の透明電極が用いられる。一方、画素電極１０３には、通常は化学的に安定な金属、例えば銀電極が用いられる。
【００２９】
次に、ＥＤ素子１１の表示原理について説明する。図１（ａ）において、スイッチＳＷ１が閉じられると、コモン電極１１３のコモン電圧Ｖｃｏｍとして、画素電極１０３に対して閾値以上の負の電圧（以下、黒化電圧と言う）−Ｖｂが印加され、コモン電極１１３から電子が注入されてコモン電流Ｉｃｏｍが流れ、コモン電極１１３の画素電極１０３に対向する位置に、銀イオン１２３が還元された銀の層１２５が析出される。これをコモン電極１１３側から見ると黒く見える。
【００３０】
図１（ｂ）において、同様に、コモン電極１１３のコモン電圧Ｖｃｏｍとして、画素電極１０３に対して閾値以上の正の電圧（以下、白化電圧と言う）Ｖｗが印加されると、図１（ａ）で析出された銀の層１２５が酸化されて銀イオン１２３になり、電解液１２１の内部に分散される。
【００３１】
銀の層１２５が銀イオン１２３に変化した状態は、コモン電極１１３側から見ると透明であるため、電解液１２１を白く着色しておく、あるいは画素電極１０３の上に拡散層を設ける等により、白く見える。このようにして白と黒の表示を切り替えることができる。
【００３２】
図１では、スイッチＳＷ１を用いてＥＤ素子１１に電圧を印加するとしたが、通常は、スイッチとして１画素当たり２個のＴＦＴ（薄膜トランジスタ）を用いて電圧を印加する、所謂アクティブマトリクス方式で駆動される。
【００３３】
上述したＥＤ素子１１を１つの画素として、駆動基板１００上に２次元マトリクス状に配置することで、電気化学表示パネル（以下、ＥＤパネルと言う）１を構成することができる。
【００３４】
ＥＤパネル１の表示では、最初に、ＥＤ素子１１の全画素に白化電圧Ｖｗを印加して、全画素を白表示にすることで表示をリセットした後に、図２で後述する方法で、黒表示にする画素だけに黒化電圧−Ｖｂを印加して情報を表示する。
【００３５】
次に、ＥＤ素子１１で、黒化電圧を印加する時間を制御して階調表示を行う方法について、図２を用いて簡単に説明する。図２は、ＥＤ素子１１で、黒化電圧を印加する時間を制御して階調表示を行う方法を示す模式図である。
【００３６】
図２（ａ）において、コモン電極１１３のコモン電圧Ｖｃｏｍとして、黒化電圧−Ｖｂが印加されると、図２（ｂ）に示すように、画素電極１０３からコモン電極１１３に向かって、最初に大きく、徐々に小さくなるようなコモン電流Ｉｃｏｍが流れ、コモン電極１１３の画素電極１０３に対向する位置に、銀の層１２５が析出される。図２（ｃ）に示すように、析出された銀の層１２５をコモン電極１１３の側から見ると、ＥＤ素子１１の表示濃度Ｄは、黒化電圧−Ｖｂの印加時間ｔｐが長くなるに従って、白表示Ｗから灰表示Ｇ、黒表示Ｂへと濃く変化する。
【００３７】
黒化電圧−Ｖｂの印加を、途中（例えば図２のｔｇのタイミング）で打ち切ると、コモン電極１１３上に析出した銀の層１２５はそのまま保持されるので、図２（ｃ）に太い破線で示すように、ＥＤ素子１１の表示濃度Ｄはそのまま保持される。
【００３８】
従って、黒化電圧−Ｖｂの印加時間ｔｐを、灰表示時間ｔｇあるいは黒表示時間ｔｂに制御することで、白、灰、黒の３値表示が可能となる。そして、表示濃度Ｄ、即ち黒化電圧−Ｖｂの印加時間ｔｐをさらに細かく分割することで、３値以上の多値表示も可能である。
【００３９】
上述したように、ＥＤ素子１１は、コモン電流Ｉｃｏｍが流れることで銀の層１２５が析出したり、溶解したりする、電流駆動型の表示素子である、そして、図２（ｂ）のＩｃｏｍの波形と横軸（ｔｐ軸）とで囲まれた面積は、ＥＤ素子１１の消費電力を示す。従って、図２（ｂ）および（ｃ）から、ＥＤ素子１１の消費電力は、表示濃度の濃淡に依存し、表示濃度が濃くなるに従って増加することが分かる。
【００４０】
次に、本発明における電子情報表示装置の構成の１例を、図３および図４を用いて説明する。図３は、本発明における電子情報表示装置の構成の１例を示す外観模式図である。
【００４１】
図３において、電子情報表示装置１は、その表面に、ＥＤ素子からなる表示パネル１０および操作部５等を備えている。操作部５は、電源スイッチ（以下、電源Ｓｗと言う）５１、送り操作部５３および戻し操作部５５等で構成され、電子情報表示装置１の電源のオン／オフおよび表示パネル１０への表示の操作に用いられる。
【００４２】
図４は、本発明における電子情報表示装置の構成の１例を示す回路ブロック図である。
【００４３】
図４において、電子情報表示装置１は、表示制御部２、操作部５、記憶部６、バス９および表示パネル１０等で構成されている。表示制御部２は、ＣＰＵ３、表示コントローラ４およびＶｃｏｍ駆動回路８等で構成されている。各部は、バス９を介して、あるいは直接に接続されている。
【００４４】
記憶部６は、電子情報表示装置１の各動作を制御するためのプログラムを記憶するＲＯＭ６１、ＲＯＭ６１に記憶されたプログラムを展開するＲＡＭ６３、表示パネル１０に表示される情報ＩＮＦを記憶するメモリ部６５、および、表示パネル１０に表示される１ページ分のデータを一時記憶するフレームメモリ６７等の記憶手段で構成され、ＣＰＵ３や表示コントローラ４の動作に寄与する。
【００４５】
ＣＰＵ３は、記憶部６のＲＯＭ６１に記憶されたプログラムをＲＡＭ６３上に展開し、プログラムに従って、表示コントローラ４を介した表示パネル１０への表示動作や、電子情報表示装置１の各動作を制御する。また、ＣＰＵ３は、後述する、表示パネル１０に表示される情報ＩＮＦの表示濃度Ｄを削減する機能を有する。
【００４６】
表示コントローラ４は、ＣＰＵ３の制御下で、記憶部６のメモリ部６５に記憶された情報ＩＮＦの表示パネル１０への表示を制御するための列選択信号Ｓｓを表示パネル１０のソースドライバ１３に、行選択信号Ｓｇを表示パネル１０のゲートドライバ１５に供給する。
【００４７】
さらに、表示コントローラ４は、Ｖｃｏｍ駆動回路８を駆動するためのＶｃｏｍ駆動信号ＳｃｏｍをＶｃｏｍ駆動回路８に供給する。表示コントローラ４は、例えばＣＭＯＳ−ＬＳＩやゲートアレイ等のハードウェアロジックやマイクロコンピュータチップ等により構成される。
【００４８】
操作部５は、上述したように、電源Ｓｗ５１、送り操作部５３および戻し操作部５５等で構成され、各々がＣＰＵ３に接続されている。電源Ｓｗ５１が押される度に、電子情報表示装置１の電源のオン／オフが行われる。送り操作部５３が押されると、表示パネル１０の表示が１ページ先に更新され、戻し操作部５５が押されると、表示パネル１０の表示が１ページ前に更新される。
【００４９】
Ｖｃｏｍ駆動回路８は、表示コントローラ４から供給されるＶｃｏｍ駆動信号Ｓｃｏｍに従って、表示パネル１０のＥＤ素子１１のコモン電極１１３に印加するコモン電圧Ｖｃｏｍを生成して、表示パネル１０のＥＤ素子１１に供給する。
【００５０】
表示パネル１０は、ＥＤ素子１１と、ソースドライバ１３やゲートドライバ１５等の周辺回路等とで構成され、表示コントローラ４およびＶｃｏｍ駆動回路８の制御により、記憶部６のフレームメモリ６７に一時記憶された閲覧のための情報ＩＮＦの１ページ分のデータを表示する。
【００５１】
続いて、本発明の電子情報表示装置の第１の実施の形態について、図５から図１１を用いて説明する。図５から図９は、電子情報表示装置の第１の実施の形態の表示動作を示すフローチャートで、図５はメインルーチン、図６と図７とは図５のサブルーチン、図８と図９とは図７のサブルーチンである。また、図１０は、図５から図９の各ステップでの動作を説明するための模式図である。
【００５２】
第１の実施の形態では、本来の表示濃度Ｄで情報を表示する第１の表示モードと、表示濃度Ｄを削減して情報を表示する第２の表示モードとを有し、表示時の消費電力の低減のために、所定の条件の場合に、第２の表示モードで表示濃度Ｄを削減して表示する。
【００５３】
（メインルーチン）
図５において、ステップＳ１１で、電源Ｓｗ５１が操作されて電子情報表示装置１の電源が投入されると、ステップＳ１２で、表示パネル１０に、図１０（ａ）に１例を示す、電子情報表示装置１の動作選択画面ＯＳが表示される。
【００５４】
ここでは、電子情報表示装置１の動作として、表示パネル１０に表示する情報ＩＮＦを検索する「情報検索」と、情報ＩＮＦを表示パネル１０に表示して閲覧する「情報閲覧」の２つの動作モードがあるとし、動作選択画面ＯＳには、「情報検索」と「情報閲覧」との何れかを選択するための２つの釦が表示されるとする。
【００５５】
ステップＳ１３で、２つの釦の内の「情報検索」釦が押されて、２つの動作モードの内の「情報検索」が選択されたか否かが確認される。「情報検索」が選択されなかった場合（ステップＳ１３；Ｎｏ）、ステップＳ１４で、２つの釦の内の「情報閲覧」釦が押されて、２つの動作モードの内の「情報閲覧」が選択されたか否かが確認される。「情報閲覧」が選択されなかった場合（ステップＳ１４；Ｎｏ）、ステップＳ１３に戻って、何れかが選択されるまでステップＳ１３とＳ１４とが繰り返される。
【００５６】
なお、「情報検索」と「情報閲覧」との選択は、例えば、図３に示した送り操作部５３か戻し操作部５５かの何れかが押されることで、表示パネル１０に表示された「情報検索」か「情報閲覧」かの何れかの釦が「白黒反転」あるいは「点滅」等されて選択対象が示され、送り操作部５３と戻し操作部５５との両方を所定の時間内に同時押しすることで、選択対象が選択される方法で行われる。以下に述べる本発明の全てのステップでの選択動作も同様である。ただし、選択動作は、この方法に限るものではなく、他の方法であってもよい。
【００５７】
ステップＳ１３で「情報検索」が選択された場合（ステップＳ１３；Ｙｅｓ）、図６に示すステップＳ２０「情報検索サブルーチン」が実行されて、閲覧する情報ＩＮＦが選択され、図７に示すステップＳ３０「情報閲覧サブルーチン」に進む。
【００５８】
一方、ステップＳ１４で「情報閲覧」が選択された場合（ステップＳ１４；Ｙｅｓ）、ステップＳ１５で、表示パネル１０に、図１０（ｂ）に１例を示す、電子情報表示装置１の記憶部６のメモリ部６５に記憶された複数の情報ＩＮＦの情報一覧画面ＩＳが表示される。ここでは、メモリ部６５には、例えば情報番号ＩＮ１からＩＮ９９までの９９個の情報ＩＮＦが記憶されているものとし、情報一覧画面ＩＳには、全ての情報ＩＮＦの情報番号ＩＮと情報名称ＩＤとの組が表示される例を示すが、これに限るものではない。
【００５９】
なお、メモリ部６５に記憶された複数の情報ＩＮＦの各々は、図１０（ｃ）に１例を示すようなファイル構造を有しているものとする。図１０（ｃ）において、１つの情報ＩＮＦは、情報番号ＩＮ、ヘッダＨＤ、情報本体ＭＰ等で構成されている。情報番号ＩＮは、情報番号パラメータｋで区別され、例えばｋ番目の情報ＩＮＦには「ＩＮｋ」という情報番号が割り振られている。
【００６０】
ヘッダＨＤには、情報名称ＩＤ、情報ＩＮＦを代表する代表ページＲＰの番号ＲＮ、情報ＩＮＦが過去に閲覧された日時や閲覧回数等の閲覧履歴ＲＨ等が記載されている。代表ページＲＰは、情報ＩＮＦの内容を代表する、例えば図や写真等が記載されたページで、閲覧したい情報ＩＮＦを検索する場合の拠り所となるページである。情報本体ＭＰには、情報ＩＮＦを構成する文書、図、表、写真等が納められ、上述した代表ページＲＰも、その中に含まれている。
【００６１】
ステップＳ１６で、情報一覧画面ＩＳから閲覧する情報ＩＮＦが選択され、ステップＳ３０「情報閲覧サブルーチン」で選択された情報ＩＮＦが閲覧され、全ての動作が終了される。
【００６２】
ステップＳ２０「情報検索サブルーチン」
閲覧したい情報ＩＮＦを検索する動作を示すサブルーチンである。ここでは、閲覧者は、表示パネル１０に表示される、複数の情報ＩＮＦの代表ページＲＰを順次確認して、閲覧したい情報ＩＮＦを選択するものとする。この際の表示パネル１０の消費電力を低減するために、情報ＩＮＦの代表ページＲＰの表示濃度Ｄを削減して表示する。
【００６３】
図６において、ステップＳ２０１で、情報番号パラメータｋが１に設定される。ステップＳ２０３で、ｋ番目の情報ＩＮＦの代表ページＲＰが読み出される。ステップＳ２０５で、ＣＰＵ３により、ｋ番目の情報ＩＮＦの代表ページＲＰの表示濃度Ｄが削減され、ステップＳ２０７で、ｋ番目の情報ＩＮＦの代表ページＲＰが、ステップＳ２０５で削減された表示濃度Ｄで表示される。ステップＳ２０５およびＳ２０７は、本発明における第２の表示モードとして機能する。
【００６４】
表示濃度Ｄの削減は、例えば図１１に示す、階調を削減する方法で行われる。図１１は、図２に示した、ＥＤ素子で黒化電圧を印加する時間を制御して階調表示を行う方法と同じ図で、表示濃度Ｄの削減方法の１例を示す模式図である。ここでは、表示濃度Ｄを１／２に削減するとして説明する。
【００６５】
図１１（ｃ）において、表示は、階調（０００）の白表示Ｗから階調（１１１）の黒表示Ｂまでの８階調で表示されるとする。この例で、階調を１／２に削減する。そのためには、各階調の上位２ビットを用いて、階調（１１１）と（１１０）とを階調（０１１）に、階調（１０１）と（１００）とを階調（０１０）に、階調（０１１）と（０１０）とを階調（００１）に、階調（００１）と（０００）とを階調（０００）に削減する。図１１（ｃ）に示したものは、階調（１１１）の黒表示Ｂを階調（０１１）の灰表示Ｇに削減する例である。
【００６６】
実際の階調の削減は、図１１（ａ）に破線で示したように、黒化電圧−Ｖｂの印加時間ｔｐを、黒表示時間ｔｂから灰表示時間ｔｇへと短縮することで実現される。これによって、ｋ番目の情報ＩＮＦの代表ページＲＰの表示濃度Ｄが、１／２に削減される。
【００６７】
表示濃度Ｄを１／２に削減することによって、図１１（ｂ）に示すように、画素電極１０３からコモン電極１１３に向かって流れるコモン電流Ｉｃｏｍの波形の面積、即ち表示時の消費電力が図にハッチングで示すように約１／２に削減される。
【００６８】
表示濃度Ｄを削減することで、表示パネル１０上の表示はコントラストの低い表示となるが、情報ＩＮＦの内容を代表する図や写真等が記載された代表ページＲＰを表示するので、コントラストが低くても、情報ＩＮＦの選択には支障ない。
【００６９】
図６に戻って、ステップＳ２１１で、送り操作部５３が操作されて、次の情報ＩＮＦの代表ページＲＰの表示が指示されたか否かが確認される。送り操作部５３が操作されて、次の情報ＩＮＦの代表ページＲＰの表示が指示された場合（ステップＳ２１１；Ｙｅｓ）、ステップＳ２１３で、情報番号パラメータｋに１が加算されて、ステップＳ２０３に戻り、上述した各ステップが繰り返される。
【００７０】
送り操作部５３が操作されなかった場合（（ステップＳ２１１；Ｎｏ）、ステップＳ２２１で、戻し操作部５５が操作されて、前の情報ＩＮＦの代表ページＲＰの表示が指示されたか否かが確認される。戻し操作部５５が操作されて、前の情報ＩＮＦの代表ページＲＰの表示が指示された場合（ステップＳ２２１；Ｙｅｓ）、ステップＳ２２３で、情報番号パラメータｋから１が減算されて、ステップＳ２０３に戻り、上述した各ステップが繰り返される。
【００７１】
戻し操作部５５が操作されなかった場合（（ステップＳ２２１；Ｎｏ）ステップＳ２３１で、送り操作部５３と戻し操作部５５との両方が所定の時間内に同時押しされて、ｋ番目の情報ＩＮＦが選択されたか否かが確認される。同時押しされなかった場合（ステップＳ２３１；Ｎｏ）、ステップＳ２１１に戻り、送り操作部５３または戻し操作部５５が操作されるか、送り操作部５３と戻し操作部５５との両方が同時押しされるまで、上述した各ステップが繰り返される。
【００７２】
送り操作部５３と戻し操作部５５との両方が同時押しされて、ｋ番目の情報ＩＮＦが選択された場合（ステップＳ２３１；Ｙｅｓ）、図５のステップＳ２０「情報検索サブルーチン」に戻り、続いて、ステップＳ３０「情報閲覧サブルーチン」に進む。
【００７３】
ステップＳ３０「情報閲覧サブルーチン」
情報ＩＮＦを閲覧する動作を示すサブルーチンである。ここでは、表示パネル１０の消費電力の低減のために、情報ＩＮＦの閲覧履歴が所定の回数（例えば２回）以上の場合に、情報ＩＮＦの表示濃度Ｄを削減して表示する。
【００７４】
図７において、ステップＳ３０１で、上述したステップＳ２０「情報検索サブルーチン」で、あるいは図５のステップＳ１６で選択された閲覧される情報ＩＮＦのヘッダＨＤと情報本体ＭＰとが読み出される。ステップＳ３０３で、閲覧される情報ＩＮＦのページパラメータｍが１に設定される。
【００７５】
ステップＳ３１１で、ステップＳ３０１で読み出されたヘッダＨＤの閲覧履歴ＲＨ中の閲覧回数が、２回以上であるか否かが確認される。２回以上の場合（ステップＳ３１１；Ｙｅｓ）、図８に示すステップＳ３２０「濃度削減表示サブルーチン」が実行されて、図５のステップＳ３０「情報閲覧サブルーチン」に戻り、全ての動作が終了される。
【００７６】
２回未満の場合（ステップＳ３１１；Ｎｏ）、図９に示すステップＳ３３０「通常表示サブルーチン」が実行されて、図５のステップＳ３０「情報閲覧サブルーチン」に戻り、全ての動作が終了される。
【００７７】
ステップＳ３２０「濃度削減表示サブルーチン」
情報ＩＮＦを、表示濃度Ｄを削減して閲覧する動作を示すサブルーチンである。
【００７８】
図８において、ステップＳ３２１で、閲覧される情報ＩＮＦの、ページパラメータｍで示されるｍページの表示濃度Ｄが削減され、ステップＳ３２２で、閲覧される情報ＩＮＦのｍページが、ステップＳ３２１で削減された表示濃度Ｄで表示される。ステップＳ３２１およびＳ３２２は、本発明における第２の表示モードとして機能する。
【００７９】
表示濃度Ｄの削減は、上述したと同じく、図１１に示す、階調を削減する方法で行われる。表示濃度Ｄを削減することで、表示パネル１０上の表示はコントラストの低い表示となるが、閲覧される情報ＩＮＦは、過去に複数回閲覧したことのある情報であるので、コントラストが低くても、情報ＩＮＦの閲覧には支障ない。
【００８０】
ステップＳ３２３で、送り操作部５３が操作されて、次ページへのページ送りが指示されたか否かが確認される。送り操作部５３が操作されて、次ページへのページ送りが指示された場合（ステップＳ３２３；Ｙｅｓ）、ステップＳ３２４で、ページパラメータｍに１が加算されて、ステップＳ３２１に戻り、上述した各ステップが繰り返される。
【００８１】
送り操作部５３が操作されなかった場合（（ステップＳ３２３；Ｎｏ）、ステップＳ３２５で、戻し操作部５５が操作されて、前ページへのページ戻しが指示されたか否かが確認される。戻し操作部５５が操作されて、前ページへのページ戻しが指示された場合（ステップＳ３２５；Ｙｅｓ）、ステップＳ３２６で、ページパラメータｍから１が減算されて、ステップＳ３２１に戻り、上述した各ステップが繰り返される。
【００８２】
戻し操作部５５が操作されなかった場合（（ステップＳ３２５；Ｎｏ）、ステップＳ３２７で、送り操作部５３と戻し操作部５５との両方が所定の時間内に同時押しされて、閲覧の終了が指示されたか否かが確認される。同時押しされなかった場合（ステップＳ３２７；Ｎｏ）、ステップＳ３２３に戻り、送り操作部５３または戻し操作部５５が操作されるか、送り操作部５３と戻し操作部５５との両方が同時押しされるまで、上述した各ステップが繰り返される。
【００８３】
送り操作部５３と戻し操作部５５との両方が同時押しされて、閲覧の終了が指示された場合（ステップＳ３２７；Ｙｅｓ）、図７のステップＳ３２０「濃度削減表示サブルーチン」に戻り、そのまま、図５のステップＳ３０「情報閲覧サブルーチン」に戻る。
【００８４】
ステップＳ３３０「通常表示サブルーチン」
情報ＩＮＦを、本来の表示濃度Ｄで情報を閲覧する動作を示すサブルーチンである。
【００８５】
図９において、ステップＳ３３１で、閲覧される情報ＩＮＦのｍページが、その情報本来の表示濃度Ｄで表示される。ステップＳ３３１は、本発明における第１の表示モードとして機能する。
【００８６】
ステップＳ３３２で、送り操作部５３が操作されて、次ページへのページ送りが指示されたか否かが確認される。送り操作部５３が操作されて、次ページへのページ送りが指示された場合（ステップＳ３３２；Ｙｅｓ）、ステップＳ３３３で、ページパラメータｍに１が加算されて、ステップＳ３３１に戻り、上述した各ステップが繰り返される。
【００８７】
送り操作部５３が操作されなかった場合（（ステップＳ３３２；Ｎｏ）、ステップＳ３３４で、戻し操作部５５が操作されて、前ページへのページ戻しが指示されたか否かが確認される。戻し操作部５５が操作されて、前ページへのページ戻しが指示された場合（ステップＳ３３４；Ｙｅｓ）、ステップＳ３３５で、ページパラメータｍから１が減算されて、ステップＳ３３１に戻り、上述した各ステップが繰り返される。
【００８８】
戻し操作部５５が操作されなかった場合（（ステップＳ３３４；Ｎｏ）、ステップＳ３３６で、送り操作部５３と戻し操作部５５との両方が所定の時間内に同時押しされて、閲覧の終了が指示されたか否かが確認される。同時押しされなかった場合（ステップＳ３３６；Ｎｏ）、ステップＳ３３２に戻り、送り操作部５３または戻し操作部５５が操作されるか、送り操作部５３と戻し操作部５５との両方が同時押しされるまで、上述した各ステップが繰り返される。
【００８９】
送り操作部５３と戻し操作部５５との両方が同時押しされて、閲覧の終了が指示された場合（ステップＳ３３６；Ｙｅｓ）、図７のステップＳ３３０「通常表示サブルーチン」に戻り、そのまま、図５のステップＳ３０「情報閲覧サブルーチン」に戻る。
【００９０】
このように過去に２回以上閲覧したことのある情報についてのみ表示濃度Ｄを削減して表示し、過去に閲覧したことのない、あるいは１回しか閲覧したことのない情報ＩＮＦの場合には表示濃度Ｄを削減しないので、過去に閲覧したことのない、あるいは１回しか閲覧したことのない情報ＩＮＦであっても、閲覧に支障はない。
【００９１】
なお、ステップＳ３０「情報閲覧サブルーチン」では、情報ＩＮＦの閲覧履歴が所定の回数（例えば２回）以上の場合に、情報ＩＮＦの表示濃度Ｄを削減して表示するとしたが、これに限るものではなく、例えば、最近閲覧したことがある、即ち、前回の閲覧が現在よりも所定の期間以内（例えば１週間以内等）の場合に、情報ＩＮＦの表示濃度Ｄを削減して表示してもよい。
【００９２】
上述したように、第１の実施の形態によれば、情報の代表ページを用いて閲覧する情報を検索する場合、および過去に複数回閲覧したことのある情報を閲覧する場合に、第２の表示モードで情報の表示濃度Ｄを削減して表示することで、目的の情報を検索、閲覧するに足る表示性能を保ちつつ、表示時の消費電力の低減による省エネルギー化と長時間動作とが可能な電子情報表示装置を提供することができる。
【００９３】
続いて、本発明の電子情報表示装置の第２の実施の形態について、図１２を用いて説明する。図１２は、表示濃度Ｄの削減方法の第２の例を示す模式図である。ここでは、第１の実施の形態での全画素の表示濃度Ｄを削減する表示濃度Ｄの削減方法とは異なり、所定の画素の表示濃度Ｄを削減することで、表示時の消費電力を削減する。
【００９４】
図１２において、表示パネル１０のＥＤ素子１１は、５画素×５画素＝２５画素で構成されているとする。そして、例えば２画素につき１画素の表示濃度Ｄをゼロとする、つまり白表示Ｗとすることで、表示時の消費電力を１／２に削減する。ここでは、画素の横の並びを行、縦の並びを列と呼ぶ。
【００９５】
図１２（ａ）において、情報本来の表示では、左の１列が白表示Ｗ、中央２列が灰表示Ｇ、右の２列が黒表示Ｂの３値で表示されているとする。第２の表示濃度Ｄの削減方法では、例えば奇数行では奇数列の画素の表示濃度Ｄをゼロに、偶数行では偶数列の画素の表示濃度Ｄをゼロにする。この結果を図１２（ｂ）に示す。
【００９６】
白表示Ｗの画素には黒化電圧−Ｖｂは印加されないので、表示時の表示時の消費電力はゼロである。従って、灰表示Ｇおよび黒表示Ｂの画素の数を１／２にすることで、表示時の消費電力を１／２にすることができる。
【００９７】
第２の実施の形態の表示濃度Ｄの削減方法によれば、解像度は低下するが、コントラストを低下させることなく情報を表示できるので、表示品位、特に写真のような自然画での表示品位をあまり低下させることなく、表示時の消費電力を削減することができる。
【００９８】
次に、本発明の電子情報表示装置の第３の実施の形態について、図１３を用いて説明する。図１３は、図２に示した、ＥＤ素子で黒化電圧を印加する時間を制御して階調表示を行う方法と同じ図で、表示濃度Ｄの削減方法の他の例を示す模式図である。ここでは、コモン電極１１３に印加する黒化電圧−Ｖｂを小さくすることで、表示濃度Ｄを削減し、消費電力を削減する方法を説明する。第３の実施の形態のその他の動作については、第１の実施の形態と同じであるので、説明は省略する。
【００９９】
図１３（ａ）において、コモン電極１１３に印加する黒化電圧−Ｖｂを、太い破線で示したように、通常の黒化電圧−Ｖｂよりも小さい黒化電圧−Ｖｂ２とする。これによって、図１３（ｂ）に太い破線で示すように、画素電極１０３からコモン電極１１３に向かって流れるコモン電流Ｉｃｏｍが小さくなり、図１３（ｃ）に太い破線で示すように、表示濃度Ｄが圧縮されて削減される。これによって、表示時の消費電力も、図１３（ｂ）にハッチングで示すように、削減される。
【０１００】
第３の実施の形態の表示濃度Ｄの削減方法によれば、ＥＤ素子の駆動方法を通常の表示と同じにしたままで、黒化電圧−Ｖｂを任意に選択することで、第１の実施の形態で示した方法のように階調数を落とすことなく、表示濃度Ｄを任意の濃度に削減することができ、表示時の消費電力を削減することができる。
【０１０１】
なお、第１の実施の形態と第３に実施の形態とを併用する方法、あるいは、第２の実施の形態と第３の実施の形態とを併用する方法も可能である。
【０１０２】
次に、本発明の電子情報表示装置の第４の実施の形態について、図１４から図１６を用いて説明する。図１４から図１６は、電子情報表示装置の第４の実施の形態の動作を説明するフローチャートで、図１４はメインルーチン、図１５および図１６は図１４のサブルーチンである。
【０１０３】
電子情報表示装置１には、例えばＡＣアダプタが使用できて、電池寿命を気にせずに長時間動作が可能に設計されたものもある。また、例えば日中の屋外での表示のように、電池駆動であっても、コントラストの強い、見やすい表示が必要な場合もある。第４の実施の形態では、このような電源の条件や閲覧者の意図等に対応して、通常表示と省電力表示とを使い分けることのできる電子情報表示装置１の１例を示す。
【０１０４】
（メインルーチン）
図１４において、ステップＳ１１で、電源Ｓｗ５１が操作されて電子情報表示装置１の電源が投入されると、ステップＳ４１で、電子情報表示装置１が電池駆動状態であるか否かが確認される。電池駆動であれば（ステップＳ４１；Ｙｅｓ）、ステップＳ４３で、バッテリチェック動作等により、電池の残量が少ないか否かが確認される。
【０１０５】
電池残量が少ない場合（ステップＳ４３；Ｙｅｓ）、図１６に示すステップＳ６０「省電力駆動サブルーチン」が実行されて、全ての動作が終了される。電池残量が少なくない場合（ステップＳ４３；Ｎｏ）、ステップＳ４５に進む。
【０１０６】
一方、ステップＳ４１で、電子情報表示装置１が電池駆動でない場合（ステップＳ４１；Ｎｏ）もステップＳ４５に進み、図１７に１例を示す、電子情報表示装置１の駆動モード選択画面ＤＳが表示される。
【０１０７】
ここでは、電子情報表示装置１の駆動モードとして、情報本来の表示濃度Ｄで情報ＩＮＦを表示する「通常駆動モード」と、表示濃度Ｄを削減して情報ＩＮＦを表示する「省電力駆動モード」の２つの駆動モードがあるとし、駆動モード選択画面ＤＳには、「通常駆動モード」と「省電力駆動モード」との何れかを選択するための、２つの釦が表示されるとする。
【０１０８】
ステップＳ４７で、２つの釦の内の「省電力駆動モード」釦が押されて、２つの駆動モードの内の「省電力駆動モード」が選択されたか否かが確認される。「省電力駆動モード」が選択された場合（ステップＳ４７；Ｙｅｓ）、図１６に示すステップＳ６０「省電力駆動サブルーチン」が実行されて、全ての動作が終了される。
【０１０９】
ステップＳ４７で、「省電力駆動モード」が選択されなかった場合（ステップＳ４７；Ｎｏ）、図１５に示すステップＳ５０「通常駆動サブルーチン」が実行されて、全ての動作が終了される。
【０１１０】
ステップＳ５０「通常駆動サブルーチン」
情報本来の表示濃度Ｄで情報ＩＮＦを表示する駆動モードである。
【０１１１】
図１５において、図５の第１の実施の形態と同様に、ステップＳ１２で、表示パネル１０に、図１０（ａ）に１例を示す、「情報検索」と「情報閲覧」との何れかを選択するための動作選択画面ＯＳが表示される。
【０１１２】
ステップＳ１３で、２つの釦の内の「情報検索」釦が押されて、２つの動作モードの内の「情報検索」が選択されたか否かが確認される。「情報検索」が選択されなかった場合（ステップＳ１３；Ｎｏ）、ステップＳ１４で、２つの釦の内の「情報閲覧」釦が押されて、２つの動作モードの内の「情報閲覧」が選択されたか否かが確認される。「情報閲覧」が選択されなかった場合（ステップＳ１４；Ｎｏ）、ステップＳ１３に戻って、何れかが選択されるまでステップＳ１３とＳ１４とが繰り返される。
【０１１３】
ステップＳ１３で「情報検索」が選択された場合（ステップＳ１３；Ｙｅｓ）、ステップＳ２０１で、情報番号パラメータｋが１に設定される。ステップＳ２０３で、ｋ番目の情報ＩＮＦの代表ページＲＰが読み出される。ステップＳ５０１で、ステップＳ２０３で読み出されたｋ番目の情報ＩＮＦの代表ページＲＰが、表示パネル１０に、情報本来の表示濃度Ｄで表示される。
【０１１４】
ステップＳ２１１からステップＳ２３１までの各動作は、図６と同じであるので、説明は省略する。ステップＳ２３１で、ｋ番目の情報ＩＮＦが選択された場合（ステップＳ２３１；Ｙｅｓ）、ステップＳ３０３に進む。
【０１１５】
一方、ステップＳ１４で「情報閲覧」が選択された場合（ステップＳ１４；Ｙｅｓ）、図５と同様に、ステップＳ１５で、表示パネル１０に、図１０（ｂ）に１例を示す、電子情報表示装置１の記憶部６のメモリ部６５に記憶された複数の情報ＩＮＦの情報一覧画面ＩＳが表示され、ステップＳ１６で、情報一覧画面ＩＳから閲覧する情報ＩＮＦが選択される。
【０１１６】
続いて、ステップＳ３０３で、閲覧される情報ＩＮＦのページパラメータｍが１に設定され、図９のステップＳ３３０「通常表示サブルーチン」が実行され、図１４のステップＳ５０「通常駆動サブルーチン」に戻って、全ての動作が終了される。ステップＳ５０１およびステップＳ３３０「通常表示サブルーチン」中のステップＳ３３１は、本発明における第１の表示モードとして機能する。
【０１１７】
ステップＳ６０「省電力駆動サブルーチン」
表示濃度Ｄを削減して情報ＩＮＦを表示する、省電力駆動モードである。
【０１１８】
図１６において、ステップＳ６０１で、図１０（ａ）に１例を示す、「情報検索」と「情報閲覧」との何れかを選択するための動作選択画面ＯＳの表示濃度が削減される。削減方法は、第１から第３の実施の形態で説明した何れの方法でもよい。
【０１１９】
続いて、ステップＳ６０３で、図５と同様に、表示パネル１０に、図１０（ａ）に１例を示す、「情報検索」と「情報閲覧」との何れかを選択するための動作選択画面ＯＳが、ステップＳ６０１で削減された表示濃度Ｄで表示される。
【０１２０】
ステップＳ１３で、２つの釦の内の「情報検索」釦が押されて、２つの動作モードの内の「情報検索」が選択されたか否かが確認される。「情報検索」が選択されなかった場合（ステップＳ１３；Ｎｏ）、ステップＳ１４で、２つの釦の内の「情報閲覧」釦が押されて、２つの動作モードの内の「情報閲覧」が選択されたか否かが確認される。「情報閲覧」が選択されなかった場合（ステップＳ１４；Ｎｏ）、ステップＳ１３に戻って、何れかが選択されるまでステップＳ１３とＳ１４とが繰り返される。
【０１２１】
ステップＳ１３で「情報検索」が選択された場合（ステップＳ１３；Ｙｅｓ）、図６のステップＳ２０「情報検索サブルーチン」が実行されて、閲覧する情報ＩＮＦが選択され、ステップＳ３０３に進む。
【０１２２】
一方、ステップＳ１４で「情報閲覧」が選択された場合（ステップＳ１４；Ｙｅｓ）、ステップＳ６０５で、図１０（ｂ）に１例を示す、電子情報表示装置１の記憶部６のメモリ部６５に記憶された複数の情報ＩＮＦの情報一覧画面ＩＳの表示濃度Ｄが削減される。削減方法は、第１から第３の実施の形態で説明した何れの方法でもよい。
【０１２３】
ステップＳ６０７で、表示パネル１０に、情報一覧画面ＩＳが、ステップＳ６０５で削減された表示濃度Ｄで表示され、ステップＳ１６で、情報一覧画面ＩＳから閲覧する情報ＩＮＦが選択される。
【０１２４】
続いて、ステップＳ３０３で、閲覧される情報ＩＮＦのページパラメータｍが１に設定され、図８のステップＳ３２０「濃度削減表示サブルーチン」が実行され、図１４のステップＳ６０「省電力駆動サブルーチン」に戻って、全ての動作が終了される。ステップＳ６０１およびＳ６０３、ステップＳ６０５およびＳ６０７、ステップＳ２０中のステップＳ２０５およびＳ２０７は、本発明における第２の表示モードとして機能する。
【０１２５】
上述したように、第４の実施の形態によれば、電源の条件や閲覧者の意図等に合わせて、情報本来の表示濃度で表示する通常駆動モードと、表示濃度を削減して表示する省電力駆動モードとを使い分けることのできるにより、目的の情報を検索、閲覧するに足る表示性能を保ちつつ、消費電力の低減による省エネルギー化と長時間動作とが可能な電子情報表示装置を提供することができる。
【０１２６】
以上に述べたように、本発明によれば、行および列方向に２次元配列された複数の画素からなり、消費電力が画素の表示濃度の濃淡に依存し、表示濃度が濃くなるに従って増加する表示パネルに、情報を、情報本来の表示濃度で表示する第１の表示モードと、情報本来の表示濃度を変換して表示する第２の表示モードとを有し、所定の条件の場合に、第２の表示モードで表示を行うことにより、目的の情報を検索、閲覧するに足る表示性能を保ちつつ、消費電力の低減による省エネルギー化と長時間動作とが可能な電子情報表示装置を提供することができる。
【０１２７】
なお、本発明に係る電子情報表示装置を構成する各構成の細部構成および細部動作に関しては、本発明の趣旨を逸脱することのない範囲で適宜更新可能である。
【符号の説明】
【０１２８】
１  電子情報表示装置
２  表示制御部
３  ＣＰＵ
４  表示コントローラ
５  操作部
５１  電源スイッチ（電源Ｓｗ）
５３  送り操作部
５５  戻し操作部
６  記憶部
６１  ＲＯＭ
６３  ＲＡＭ
６５  メモリ部
６７  フレームメモリ
８  Ｖｃｏｍ駆動回路
９  バス
１０  表示パネル
１１  エレクトロデポジション方式の電気化学表示素子（ＥＤ素子）
１３  ソースドライバ
１５  ゲートドライバ
Ｓｓ  列選択信号
Ｓｇ  行選択信号
Ｓｃｏｍ  Ｖｃｏｍ駆動信号
Ｖｃｏｍ  コモン電圧
−Ｖｂ  黒化電圧
Ｖｗ  白化電圧
【図１】
2011102900.tif 000003
【図２】
2011102900.tif 000004
【図３】
2011102900.tif 000005
【図４】
2011102900.tif 000006
【図５】
2011102900.tif 000007
【図６】
2011102900.tif 000008
【図７】
2011102900.tif 000009
【図８】
2011102900.tif 000010
【図９】
2011102900.tif 000011
【図１０】
2011102900.tif 000012
【図１１】
2011102900.tif 000013
【図１２】
2011102900.tif 000014
【図１３】
2011102900.tif 000015
【図１４】
2011102900.tif 000016
【図１５】
2011102900.tif 000017
【図１６】
2011102900.tif 000018
【図１７】
2011102900.tif 000019